(57)【要約】【課題】音声復号装置への通知や変更作業を必要とせず、音声符号化装置側で所望する順序に従って音声復号装置で音声信号を出力することのできる音声符号化装置を得る。【解決手段】符号化パラメータ変換部１０２は、入力されるデジタル音声信号１０７〜１０９と第１番入力端子１０４〜第３番入力端子１０６との対応関係を任意に決定する入力チャンネル情報１１１に基づいて符号化パラメータ１１２〜１１５を出力する。音声符号化部１０１は、第１番入力端子１０４〜第３番入力端子１０６に入力されたデジタル音声信号１０７〜１０９を符号化すると共に、符号化パラメータ１１２〜１１５を付与し、符号化伝送データ１１０として出力する。【選択図】図１
2007310087.tif 000002
【特許請求の範囲】
【請求項１】
ＭＰＥＧ−２  ＡＡＣ音声符号化を行う音声符号化装置であって、
音声信号と入力端子との対応関係を任意に決定する入力チャンネル情報に基づいて前記音声信号に対応した符号化パラメータを決定する符号化パラメータ変換部と、
前記音声信号を符号化すると共に、当該音声符号化信号に、前記符号化パラメータ変換部から出力された符号化パラメータを付与し、符号化伝送データとして出力する音声符号化部とを備えた音声符号化装置。
【請求項２】
符号化パラメータは、ＭＰＥＧ−２  ＡＡＣで定めるエレメントインスタンスタグを用いて付与することを特徴とする請求項１記載の音声符号化装置。
【請求項３】
符号化パラメータは、ＭＰＥＧ−２  ＡＡＣで定めるデータストリームエレメントを用いて付与することを特徴とする請求項１記載の音声符号化装置。
【請求項４】
ＭＰＥＧ−２  ＡＡＣ音声復号を行う音声復号装置であって、
符号化伝送データから音声信号を復号すると共に、前記符号化伝送データを送出した音声符号化装置における音声信号と入力端子との対応関係を任意に決定する入力チャンネル情報に基づいて生成された符号化パラメータを分離する音声復号部と、
前記音声復号部で分離された符号化パラメータに基づいて、前記復号された音声信号の出力端子を判定する出力チャンネル判定部とを備えた音声復号装置。
【請求項５】
符号化パラメータは、ＭＰＥＧ−２  ＡＡＣで定めるエレメントインスタンスタグから分離されることを特徴とする請求項４記載の音声復号装置。
【請求項６】
符号化パラメータは、ＭＰＥＧ−２  ＡＡＣで定めるデータストリームエレメントから分離されることを特徴とする請求項４記載の音声復号装置。
【発明の詳細な説明】
【技術分野】
【０００１】
この発明は、放送局間や、中継車と放送局との間などで音声を伝送する場合に用いられ、音声符号化方式としてＭＰＥＧ−２  ＡＡＣ（Advanced Audio Coding）(ISO/IEC 13818-7)を使用して伝送する音声符号化装置及び音声復号装置に関するものである。
【背景技術】
【０００２】
音声符号化方式としてＭＰＥＧ−２  ＡＡＣを使用して伝送する場合において、音声符号化装置に音声信号を構成するＬ(left)信号、Ｒ(Right)信号、Ｃ（Center）信号、ＬＦＥ（Low Frequency Effect）信号、ＬＳ（Left Surround）信号、ＲＳ(Right Surround)信号が入力される順序、及び音声復号装置からＬ信号、Ｒ信号、Ｃ信号、ＬＦＥ信号、ＬＳ信号、ＲＳ信号が出力される順序については、ＭＰＥＧ−２  ＡＡＣを定めた国際規格（ISO/IEC13818-7:1997）に明確な規定がなく（例えば、非特許文献１参照）、音声符号化装置及び音声復号装置製造者もしくは使用者の慣習として順序を決めていた。
【０００３】
【非特許文献１】ＩＳＯ／ＩＥＣ１３８１８−７−１９９７
【発明の開示】
【発明が解決しようとする課題】
【０００４】
従来のＭＰＥＧ−２  ＡＡＣ方式においては、符号化する際の情報として符号化したデータ（エレメント）の種別を識別するための識別子、例えばＳＣＥ(single_channel_element)、ＣＰＥ(channel_pair_element)、ＬＣＥ(lfe_channel_element)が用意されており、例えばＬ信号、Ｒ信号をchannel_pair_elementとして符号化した場合は識別子ＣＰＥを付加、ＬＳ信号、ＲＳ信号をchannel_pair_elementとして符号化した場合は識別子ＣＰＥを付加、Ｃ信号をsingle_channel_elementとして符号化した場合はＳＣＥを付加、ＬＦＥ信号をlfe_channel_elementとして符号化した場合は識別子ＬＦＥを付加することができる。
【０００５】
また、ＭＰＥＧ−２  ＡＡＣ方式で符号化を行う音声符号化装置にはデジタル音声信号を２チャンネルずつ入力するための入力端子が具備され、従来では、どの入力端子にどのデジタル音声信号を入力するかは音声符号化装置製造者が慣習を元に予め決定し、音声符号化装置使用者に周知して使用していた。そして、音声符号化装置使用者は音声符号化装置製造者より予め決められた入力端子に決められた音声信号を入力し、音声符号化装置内にて符号化を行って音声復号装置に伝送していた。
【０００６】
このような音声符号化装置より伝送された音声符号化信号は、従来のＭＰＥＧ−２  ＡＡＣ方式の音声復号装置にて上述した識別手段を用いて、Ｌ信号、Ｒ信号、ＬＳ信号、ＲＳ信号、Ｃ信号、ＬＦＥ信号として復号され、音声復号装置製造者が予め定めた、音声復号装置に具備された復号した音声信号を出力するための出力端子からデジタル音声信号を出力していた。
【０００７】
従来のＭＰＥＧ−２  ＡＡＣ音声符号化装置及び音声復号装置は以上のように構成されているため、音声符号化装置使用者が音声符号化装置に具備する音声入力端子に入力するデジタル音声信号を、例えば、２番目の入力端子に入力していたＣ信号、ＬＦＥ信号を３番目の入力端子に変更し、３番目の入力端子に入力していたＬＳ信号、ＲＳ信号を２番目の入力端子に変更した場合、変更した内容を符号化音声信号の伝送とは別の手段にて音声復号装置使用者に通知し、これにより音声復号装置使用者が出力端子を変更する必要があった。
【０００８】
仮に変更した内容を通知しなかった場合は、音声復号装置製造者が予め定めた通りに、例えば２番目の出力端子からＣ信号、ＬＦＥ信号が出力され、３番目の出力端子からＬＳ信号、ＲＳ信号が出力され、音声符号化装置への入力の順序と音声復号装置からの出力の順序が異なってしまうという事態が発生する。
【０００９】
従来の音声復号装置は音声符号化装置から伝送される符号化信号に基づいて音声復号装置使用者の操作を必要とせず復号を行うことを特徴としているが、上記例のように、音声符号化装置で信号と入力端子との関係を変更した場合は、音声復号装置に対する操作が必要となり、通知や変更作業等が必要となる、といった問題点があった。
【００１０】
この発明は上記のような課題を解決するためになされたもので、音声復号装置への通知や変更作業を必要とせず、音声符号化装置側で所望する順序に従って音声復号装置で音声信号を出力することのできる音声符号化装置及び音声復号装置を得ることを目的とする。
【課題を解決するための手段】
【００１１】
この発明に係る音声符号化装置は、音声信号と入力端子との対応関係を任意に決定する入力チャンネル情報に基づいて音声信号に対応した符号化パラメータを決定する符号化パラメータ変換部と、符号化パラメータ変換部から出力された符号化パラメータを音声符号化信号に付与して符号化伝送データとして出力する音声符号化部とを備えたものである。
【発明の効果】
【００１２】
この発明の音声符号化装置は、音声信号と入力端子との対応関係を示す符号化パラメータを音声符号化信号に付与するようにしたので、音声復号装置への通知や変更作業を必要とせず、音声符号化装置側で所望する順序に従って音声復号装置で音声信号を出力することができる。
【発明を実施するための最良の形態】
【００１３】
実施の形態１．
図１は、この発明の実施の形態１による音声符号化装置及び音声復号装置を示す構成図である。
図において、音声符号化装置１００は、音声符号化部１０１、符号化パラメータ変換部１０２、入力チャンネル情報入力部１０３、第１番入力端子１０４、第２番入力端子１０５、第３番入力端子１０６を備えている。また、音声復号装置２００は、音声復号部２０１、出力チャンネル判定部２０２、出力チャンネル選択部２０３、第１番出力端子２０４、第２番出力端子２０５、第３番出力端子２０６を備えている。更に、音声符号化装置１００と音声復号装置２００とは伝送路３００を介して接続されている。
【００１４】
音声符号化部１０１は、第１番入力端子１０４から入力されたデジタル音声信号１０７と、第２番入力端子１０５から入力されたデジタル音声信号１０８と、第３番入力端子１０６から入力されたデジタル音声信号１０９を、符号化パラメータ変換部１０２からの符号化パラメータに基づき、ＭＰＥＧ−２  ＡＡＣ符号化方式に則って符号化を行い、符号化伝送データ１１０として出力する機能を有している。
符号化パラメータ変換部１０２は、入力チャンネル情報入力部１０３から出力される入力チャンネル情報１１１に基づいて符号化パラメータ１１２〜１１５を生成し、これら符号化パラメータ１１２〜１１５を音声符号化部１０１に出力する機能部である。
【００１５】
ここで、符号化パラメータ１１２は、音声符号化部１０１で使用する第１のペアチャンネルエレメントに付加される符号化パラメータで、第１番入力端子１０４の入力端子情報を表している。また、符号化パラメータ１１３は、音声符号化部１０１で使用する単一チャンネルエレメントに付加される符号化パラメータで、第２番入力端子１０５の入力端子情報を表している。更に、符号化パラメータ１１４は、音声符号化部１０１で使用する第２のペアチャンネルエレメントに付加される符号化パラメータで、第３番入力端子１０６の入力端子情報を表している。また、符号化パラメータ１１５は、音声符号化部１０１で使用するＬＦＥチャンネルエレメントに付加される符号化パラメータであり、第２番入力端子１０５の入力端子情報を表している。
【００１６】
入力チャンネル情報入力部１０３は、デジタル音声信号１０７〜デジタル音声信号１０９が、第１番入力端子１０４〜第３番入力端子１０６のいずれかに入力したかという情報を、音声符号化装置１００の使用者が入力するための機能部であり、これらの入力情報が入力チャンネル情報１１１として符号化パラメータ変換部１０２に出力するよう構成されている。
【００１７】
また、実施の形態１では、デジタル音声信号１０７は、ＭＰＥＧ−２  ＡＡＣによる音声符号化を行う対象となるデジタル音声信号のＬ(left)信号及びＲ(Right)信号、デジタル音声信号１０８は、デジタル音声信号のＣ（Center）信号、及びＬＦＥ（Low Frequency Effect）信号、デジタル音声信号１０９は、デジタル音声信号のＬＳ（Left Surround）信号、ＲＳ(Right Surround)信号となるよう設定されている。
【００１８】
次に、音声復号装置２００の構成について説明する。
音声復号装置２００における音声復号部２０１は、伝送路３００を介して入力された符号化伝送データ１１０を、ＭＰＥＧ−２  ＡＡＣ方式に則って復号し、デジタル音声信号２０７，２０８，２０９として出力する機能を有し、また、音声符号化データに含まれる符号化パラメータを分離する機能を有している。図中、音声復号部２０１から出力される符号化パラメータ１１２〜１１５は、これらの符号化パラメータである。
出力チャンネル判定部２０２は、音声符号化装置１００の符号化パラメータ変換部１０２における符号化パラメータ１１２〜１１５と入力端子との対応関係を示す情報を予め有し、音声復号部２０１から送出された符号化パラメータ１１２〜１１５に基づいて、デジタル音声信号２０７〜２０９を、第１番出力端子２０４及び第２番出力端子２０５及び第３番出力端子２０６のいずれかから出力させるかを決定し、これを出力チャンネル情報２１０として出力する機能を有している。
【００１９】
出力チャンネル選択部２０３は、出力チャンネル判定部２０２から通知される出力チャンネル情報２１０を元に、デジタル音声信号２０７であるＬ信号及びＲ信号及びデジタル音声信号２０８であるＣ信号及びＬＦＥ信号、デジタル音声信号２０９であるＬＳ信号及びＲＳ信号を、第１番出力端子２０４及び第２番出力端子２０５及び第３番出力端子２０６の何れに出力するかを選択する機能を有している。また、それぞれの第１番出力端子２０４〜第３番出力端子２０６からは、デジタル音声信号２１１〜２１３が出力されるよう構成されている。
【００２０】
図２はＭＰＥＧ−２  ＡＡＣ音声符号化方式を定めたISO/IEC13818-7:1997に記載されている音声伝送フレームＡＤＴＳ：Audio Data Transport Stream frameの構成図である。
図示のように、ＭＰＥＧ−２  ＡＡＣ音声符号化方式により符号化された符号化データを伝送するための音声伝送フレーム２１は、符号化データブロック２２で構成され、符号化データブロック２２は、データブロック識別子２３、データブロック情報２４、符号化エレメント２５より構成されている。
【００２１】
図３はＭＰＥＧ−２  ＡＡＣ音声符号化方式を定めたISO/IEC13818-7:1997に記載されているデータブロック識別子２３の説明図である。
ここで、例えば、ＳＣＥ識別子３１は符号化エレメント２５が単一チャンネルの符号化データであることを示す識別子であり、３２は単一チャンネル符号化データを示している。また、ＣＰＥ識別子３３は、符号化エレメント２５がペアチャンネルの符号化データであることを示す識別子であり、３４はペアチャンネル符号化データである。ＬＦＥ識別子３５は、符号化エレメント２５がＬＦＥチャンネルの符号化データであることを示すＬＦＥ識別子であり、３６はＬＦＥ符号化データを示している。尚、３７はデータストリームエレメント識別子、３８はデータストリームエレメントを示しているが、これらデータストリームエレメント識別子３７及びデータストリームエレメント３８については実施の形態２で詳細に説明する。
【００２２】
次に、実施の形態１における動作として、例えばＭＰＥＧ−２  ＡＡＣ方式の５．１ｃｈサラウンド方式で符号化する場合の動作について説明する。
５．１ｃｈサラウンド方式は、Ｌ信号、Ｒ信号、Ｃ信号、ＬＦＥ信号、ＬＳ信号、ＲＳ信号で構成され、かつ、デジタル音声信号は物理的な信号線１本につき２つの信号を伝送できる。このため、図１に示すように、第１番入力端子１０４に、Ｌ信号とＲ信号、第２番入力端子１０５にＣ信号とＬＦＥ信号、第３番入力端子１０６にＬＳ信号とＲＳ信号を入力する場合、入力チャンネル情報入力部１０３では、このような入力端子とチャンネルを示す入力チャンネル情報１１１を出力する。
【００２３】
即ち、入力チャンネル情報入力部１０３は、第１番入力端子１０４の第１チャンネルがＬ信号、第１番入力端子１０４の第２チャンネルがＲ信号、第２番入力端子１０５の第１チャンネルがＣ信号、第２番入力端子１０５の第２チャンネルがＬＦＥ信号、第３番入力端子１０６の第１チャンネルがＬＳ信号、第３番入力端子１０６の第２チャンネルがＲＳ信号であることを示す入力チャンネル情報１１１を符号化パラメータ変換部１０２に通知する。
【００２４】
符号化パラメータ変換部１０２では、入力チャンネル情報入力部１０３から通知された入力チャンネル情報１１１を基に、第１番入力端子１０４から入力されるデジタル音声信号１０７の符号化パラメータ１１２、第２番入力端子１０５から入力されるデジタル音声信号１０８の符号化パラメータ１１３及び符号化パラメータ１１５、第３番入力端子１０６から入力されるデジタル音声信号１０９の符号化パラメータ１１４を生成し、これら符号化パラメータ１１２〜１１５を音声符号化部１０１に出力する。尚、符号化パラメータの具体的な生成方法については後述する。
【００２５】
音声符号化部１０１では、入力されたＬ信号、Ｒ信号を第1のペアチャンネルエレメント（ＣＰＥ）として符号化を行い、符号化パラメータ１１２を付加する。また、ＬＳ信号、ＲＳ信号は、第２のペアチャンネルエレメント（ＣＰＥ）として符号化を行い、符号化パラメータ１１４を付加する。更に、Ｃ信号は単一チャンネルエレメント（ＳＣＥ）として符号化を行い、符号化パラメータ１１３を付加し、ＬＦＥ信号はＬＦＥエレメントとして符号化を行い、符号化パラメータ１１５を付加する。そして、音声符号化部１０１ではこれらの符号化を行ったデータを符号化伝送データ１１０として出力する。
【００２６】
音声符号化装置１００から出力された符号化伝送データ１１０は伝送路３００を経由して音声復号装置２００で受信される。音声復号装置２００では、音声復号部２０１においてＭＰＥＧ−２  ＡＡＣ方式に則ってデジタル音声信号に復号すると同時に、第１のペアチャンネルエレメントに付加されていた符号化パラメータ１１２、第２のペアチャンネルエレメントに付加されていた符号化パラメータ１１４、単一チャンネルエレメントに付加されていた符号化パラメータ１１３、ＬＦＥチャンネルエレメントに付加されていた符号化パラメータ１１５を分離し、出力チャンネル判定部２０２に通知する。
【００２７】
出力チャンネル判定部２０２では、通知された符号化パラメータ１１２より第１のペアチャンネルエレメントが音声符号化装置１００の第1番入力端子から入力されたことを認知し、符号化パラメータ１１４より第２のペアチャンネルエレメントが音声符号化装置１００の第３番入力端子から入力されたことを認知し、符号化パラメータ１１３より単一チャンネルエレメントが音声符号化装置１００の第２番入力端子の第１チャンネルから入力されたことを認知し、符号化パラメータ１１５よりＬＦＥチャンネルエレメントが音声符号化装置１００の第２番入力端子の第２チャンネルから入力されたことを認知する。これにより、第１番出力端子２０４からＬ信号、Ｒ信号、第２番出力端子２０５からＣ信号、ＬＦＥ信号、第３番出力端子からＬＳ信号、ＲＳ信号を出力することを意味する出力チャンネル情報２１０を生成し、出力チャンネル選択部２０３に通知する。
【００２８】
出力チャンネル選択部２０３では、出力チャンネル情報２１０を基に音声復号部２０１で復号し出力したデジタル音声信号２０７（Ｌ信号及びＲ信号）を、第１番出力端子２０４に接続し、また、音声復号部２０１が復号し出力したデジタル音声信号２０８（Ｃ信号及びＬＦＥ信号）を、第２番出力端子２０５に接続し、更に、音声復号部２０１が復号し出力したデジタル音声信号２０９（ＬＳ信号及びＲＳ信号）を、第３番出力端子２０６に接続する。
【００２９】
その結果、第１番出力端子２０４から出力されるデジタル音声信号２１１は音声符号化装置１００の第１番入力端子１０４から入力したデジタル音声信号１０７と同じＬ信号、Ｒ信号となり、第２番出力端子２０５から出力されるデジタル音声信号２１２は、音声符号化装置１００の第２番入力端子１０５から入力したデジタル音声信号１０８と同じＣ信号、ＬＦＥ信号となり、第３番出力端子２０６から出力されるデジタル音声信号２１３は、音声符号化装置１００の第３番入力端子１０６から入力したデジタル音声信号１０９と同じＬＳ信号及びＲＳ信号となる。
【００３０】
このように、音声符号化装置１００から音声復号装置２００に送信する符号化伝送データ１１０中に、音声復号装置２００側でデジタル音声信号を出力させたい出力端子とチャンネルの情報を含ませることができるため、例えば、音声符号化装置１００の使用者が、音声符号化装置１００への入力順序と音声復号装置２００の出力順序を意識的に変更したい場合でも入力チャンネル情報入力部１０３への操作によって容易に実現することができる。即ち、入力チャンネル情報入力部１０３から出力される入力チャンネル情報１１１を、音声復号装置２００で出力させたい出力端子に対応した値とすることにより、この入力チャンネル情報１１１に対応した符号化パラメータ１１２〜１１５が生成され、入力順序と出力順序の変更も容易に実現することができる。
【００３１】
次に図２と図３を用いて符号化パラメータ変換部１０２が、入力チャンネル情報１１１を用いて符号化パラメータを生成する動作について説明する。
図２の符号化データブロック２２に含まれるデータブロック識別子２３は、図３に示すように符号化エレメント２５が単一チャンネルエレメントの場合はＩＤ＿ＳＣＥ、符号化エレメント２５がペアチャンネルエレメントの場合はＩＤ＿ＣＰＥ、符号化エレメント２５がＬＦＥチャンネルエレメントの場合はＩＤ＿ＬＦＥとなる。
【００３２】
一方、図２に示すデータブロック情報２４はISO/IEC13818-7:1997ではelement_instance_tag（エレメントインスタンスタグ）と称され、同じ符号化エレメントが存在した場合に区別するためにユニークな数字を付与すると規定されている。このため、例えば図１の例では、Ｌ信号及びＲ信号を符号化したペアチャンネルエレメントに付加するデータブロック情報（element_instance_tag）を“１”、ＬＳ信号及びＲＳ信号を符号化したペアチャンネルエレメントに付加するデータブロック情報（element_instance_tag）を“５”、Ｃ信号を符号化した単一チャンネルエレメントに付加するデータブロック情報（element_instance_tag）を“３”、ＬＦＥ信号を符号化したＬＦＥチャンネルエレメントに付加するデータブロック情報（element_instance_tag）を“４”として２個存在するペアチャンネルエレメントを区別する規格本来の使用目的を損なうことなく、入力チャンネル情報としても使用することが可能となる。即ち、この場合は、符号化パラメータ１１２が“１”、符号化パラメータ１１３が“３”、符号化パラメータ１１４が“５”、符号化パラメータ１１５が“４”となる。
【００３３】
以上のように、実施の形態１の音声符号化装置によれば、ＭＰＥＧ−２  ＡＡＣ音声符号化を行う音声符号化装置であって、音声信号と入力端子との対応関係を任意に決定する入力チャンネル情報に基づいて音声信号に対応した符号化パラメータを決定する符号化パラメータ変換部と、音声信号を符号化すると共に、音声符号化信号に、符号化パラメータ変換部から出力された符号化パラメータを付与し、符号化伝送データとして出力する音声符号化部とを備えたので、音声復号装置への通知や変更作業を必要とせず、音声符号化装置側で所望する順序に従って音声復号装置で音声信号を出力することができる。
【００３４】
また、実施の形態１の音声符号化装置によれば、符号化パラメータは、ＭＰＥＧ−２  ＡＡＣで定めるエレメントインスタンスタグを用いて付与するようにしたので、ペアチャンネルエレメントを区別する規格本来の使用目的を損なうことなく、入力チャンネル情報としても使用することが可能であり、容易に符号化パラメータの付与を行うことができる。
【００３５】
また、実施の形態１の音声復号装置によれば、ＭＰＥＧ−２  ＡＡＣ音声復号を行う音声復号装置であって、符号化伝送データから音声信号を復号すると共に、符号化伝送データを送出した音声符号化装置における音声信号と入力端子との対応関係を任意に決定する入力チャンネル情報に基づいて生成された符号化パラメータを分離する音声復号部と、音声復号部で分離された符号化パラメータに基づいて、復号された音声信号の出力端子を判定する出力チャンネル判定部とを備えたので、音声符号化装置からの通知や変更作業を必要とせず、音声符号化装置側で所望する順序に従って音声信号を出力することができる。
【００３６】
また、実施の形態１の音声復号装置によれば、符号化パラメータは、ＭＰＥＧ−２  ＡＡＣで定めるエレメントインスタンスタグから分離されるようにしたので、容易に符号化伝送データから符号化パラメータの分離を行うことができる。
【００３７】
実施の形態２．
実施の形態２では、符号化パラメータとして、データストリームエレメント（data_stream_element）を用いるようにしたものであり、図面上の構成は実施の形態１と同様であるため、図１を援用して説明する。実施の形態２の音声符号化部１０１では、符号化パラメータ１１２〜１１５を、対応したデジタル音声信号１０７〜１０９に付与する場合に、データストリームエレメントを用いて行うよう構成されている。また、音声復号部２０１では、受信した符号化伝送データ１１０から、デジタル音声信号を復号すると共に、データストリームエレメントから符号化パラメータ１１２〜１１５を分離するよう構成されている。これ以外の構成は実施の形態１と同様である。
【００３８】
次に実施の形態２による符号化パラメータについて、図３と図４を用いて説明する。
図４は、データストリームエレメントの構成図である。
図４において、符号化データブロック２２は、データストリームエレメントを示す識別子４１、データストリームエレメント内に記載されたＬ信号、Ｒ信号のチャンネル情報４２、Ｃ信号のチャンネル情報４３、ＬＦＥ信号のチャンネル情報４４、ＬＳ信号、ＲＳ信号のチャンネル情報４５から構成されている。
【００３９】
実施の形態１によるチャンネル追従方法においては、音声符号化装置１００に入力するデジタル音声信号の入力情報をデータブロック情報２４を用いて音声復号装置２００に伝送したが、実施の形態２では、データブロック情報２４の代わりにデータストリームエレメント３８及びデータストリームエレメント識別子３７（図３参照）を用いて伝送を行う。
【００４０】
データストリームエレメント３８については規格上使用者が任意に使用目的を決定することができるため、例えば、図４に示すようにデータストリームエレメント内にＬ信号、Ｒ信号のチャンネル情報４２、Ｃ信号のチャンネル情報４３、ＬＦＥ信号のチャンネル情報４４、ＬＳ信号、ＲＳ信号のチャンネル情報４５を記載し、伝送する。即ち、図２に示した実施の形態１と同様に、Ｌ信号及びＲ信号を符号化したペアチャンネルエレメントに付加するデータストリームエレメントを“１”、ＬＳ信号及びＲＳ信号を符号化したペアチャンネルエレメントに付加するデータストリームエレメントを“５”、Ｃ信号を符号化した単一チャンネルエレメントに付加するデータストリームエレメントを“３”、ＬＦＥ信号を符号化したＬＦＥチャンネルエレメントに付加するデータストリームエレメントを“４”とする。
【００４１】
これにより、音声復号装置２００では、このような符号化伝送データ１１０を受信すると、音声復号部２０１において分離し、出力チャンネル判定部２０２に通知することが可能で、実施の形態１と同じ効果を得ることができる。
【００４２】
以上のように、実施の形態２の音声符号化装置によれば、符号化パラメータを、ＭＰＥＧ−２  ＡＡＣで定めるデータストリームエレメントを用いて付与するようにしたので、容易に符号化パラメータの付与を行うことができる。
【００４３】
また、実施の形態２の音声復号装置によれば、符号化パラメータを、ＭＰＥＧ−２  ＡＡＣで定めるデータストリームエレメントから分離するようにしたので、容易に符号化伝送データから符号化パラメータの分離を行うことができる。
【図面の簡単な説明】
【００４４】
【図１】この発明の実施の形態１による音声符号化装置及び音声復号装置を示す構成図である。
【図２】この発明に係る音声伝送フレームＡＤＴＳの構成図である。
【図３】この発明に係るデータブロック識別子の説明図である。
【図４】この発明に係るデータストリームエレメントの構成図である。
【符号の説明】
【００４５】
１００  音声符号化装置、１０１  音声符号化部、１０２  符号化パラメータ変換部、１０３  入力チャンネル情報入力部、１０４  第１番入力端子、１０５  第２番入力端子、１０６  第３番入力端子、１０７，１０８，１０９，２１１，２１２，２１３  デジタル音声信号、１１０  符号化伝送データ、１１１  入力チャンネル情報、１１２，１１３，１１４，１１５  符号化パラメータ、２００  音声復号装置、２０１  音声復号部、２０２  出力チャンネル判定部、２０３  出力チャンネル選択部、２０４  第１番出力端子、２０５  第２番出力端子、２０６  第３番出力端子、２１０  出力チャンネル情報。
【図１】
2007310087.tif 000003
【図２】
2007310087.tif 000004
【図３】
2007310087.tif 000005
【図４】
2007310087.tif 000006